(57)【特許請求の範囲】
【請求項１】
コンピュータシステムから入力される映像信号のダンピング領域データのダンピングレベルを抽出する第１過程と；
前記第１過程で抽出されたダンピング領域データのダンピングレベルとマイクロコンピュータに既に保存されているダンピング領域データのダンピングレベルを比較し一致するデータがあるか否かを判断する第２過程と；
前記第２過程の判断の結果，一致するデータがある場合，マイクロコンピュータに保存されている該当ダンピングレベルで設定された利得とオフセットデータを，現在調整中の液晶ディスプレイ装置の利得とオフセットとして設定する第３過程と；
前記第２過程の判断の結果，一致するデータがない場合，最も近接なダンピングレベルで設定された利得とオフセットを現在調整中の液晶ディスプレイ装置の利得とオフセットとして設定する第４過程と；
前記第３および４過程で設定された利得とオフセットによって利得とオフセットを調整する第５過程を含むことを特徴とする液晶ディスプレイ装置の利得及びオフセット調整方法。
【請求項２】
前記第２過程のマイクロコンピュータには，コンピュータシステムから液晶ディスプレイ装置へ入力される映像信号のダンピング領域データのダンピングレベルに対するデータと，該当ダンピングレベルデータの映像信号が入力される時，調整された利得とオフセットデータが保存されていることを特徴とする請求項1記載の液晶ディスプレイ装置の利得及び調整方法。
【発明の詳細な説明】
【０００１】
【発明の属する技術分野】
本発明は，液晶ディスプレイ装置(Ｌｉｑｕｉｄ  Ｃｒｙｓｔａｌ  Ｄｉｓｐｌａｙ)の利得(Ｇａｉｎ)及びオフセット(Ｏｆｆｓｅｔ)調整方法に関するものである。特に，液晶ディスプレイ装置の生成過程において，コンピュータシステムから液晶ディスプレイ装置へ入力される映像信号の安定領域データを利用し，映像信号即ち，Ｒ，Ｇ及びＢの色信号の利得と，画面上にディスプレイされる映像の明るさ(Ｂｒｉｇｈｔｎｅｓｓ)を調節するオフセットを，簡便かつ正確に設定することができる液晶ディスプレイ装置の利得及びオフセット調整方法に関したものである。
【０００２】
【従来の技術】
一般的に液晶ディスプレイ装置は，陰極線管モニタとは違って軽量で薄く製造できるだけでなく，映像が歪まず奇麗に表示できるという長所があるため，ノートブック型パソコンを始めとしてその使用範囲が拡大しつつある。
【０００３】
上記のように液晶ディスプレイ装置はコンピュータシステムから入力されるＲ,Ｇ,及びＢの色信号の利得を可変し，ホワイトバランス(Ｗｈｉｔｅ  Ｂａｌａｎｃｅ)を調節し，画面の明るい面と暗い面との対比が明確に現れるように明暗を調節している。
【０００４】
液晶ディスプレイ装置は特定範囲の明るさを求められるため，ＬＣＤパネルに表示されるＲ,Ｇ及びＢの色信号のバイアスによってカットオフ(ｃｕｔｏｆｆ)電圧を設定して明るさを調節するとともに，カットオフ電圧を基準とするバイアス電圧を発生させて明るさを可変する。
【０００５】
図１は従来技術による液晶ディスプレイ装置の構成を示した概略ブロック図である。図１に示したように，コンピュータシステム１は液晶ディスプレイ装置画面上に表示される所定映像信号，即ち，Ｒ,Ｇ及びＢの色信号を出力すると同時に，水平同期信号Ｈ及び垂直同期信号Ｖを出力する。
【０００６】
プリアンプ(Ｐｒｅ―Ａｍｐｌｉｆｉｅｒ)部２はコンピュータシステム１から出力されるＲ,Ｇ及びＢの色信号レベルを増幅し，後述されるマイクロコンピュータ４から出力された明るさ制御信号によってレベルを可変し出力する。
【０００７】
アナログ/デジタル変換部(Ａｎａｌｏｇ  ｔｏ  Ｄｉｇｉｔａｌ  Ｃｏｎｖｅｒｔｅｒ；以下，Ａ／Ｄ部と略する)３は，後述されるＰＬＬ部５から出力された分周値によってプリアンプ部２から出力されるアナログの映像信号をデジタル信号に変換し出力する。
【０００８】
マイクロコンピュータ４は，コンピュータシステム１から入力される水平同期信号Ｈ及び垂直同期信号Ｖを検出して分離し，分離された水平同期信号Ｈ及び垂直同期信号Ｖの周波数によって動作モードを判断し，判断された動作モードに応じた解像度を認識する。
【０００９】
この時，コンピュータシステム１から出力される水平同期信号Ｈ及び垂直同期信号Ｖの周波数と解像度はＣＧＡ(Ｃｏｌｏｒ  Ｇｒａｐｈｉｃｓ  Ａｄａｐｔｅｒ)モード，ＶＧＡ(Ｖｉｄｅｏ  Ｇｒａｐｈｉｃｓ  Ａｒｒａｙ)モード及びＳＶＧＡ(Ｓｕｐｅｒ  Ｖｉｄｅｏ  Ｇｒａｐｈｉｃｓ  Ａｒｒａｙ)モードなど色々な動作モードによって相異する。
【００１０】
例えば，ＣＧＡモードは水平同期信号Ｈの周波数が１５.７５ＫＨｚであり，垂直同期信号Ｖの周波数は６０Ｈz，解像度は６４０×３５０である。また，ＶＧＡモードは水平同期信号Ｈの周波数が３１.５ＫＨｚであり，垂直同期信号Ｖの周波数は６０Ｈz又は７０Ｈz，解像度は７２０×３５０又は６４０×４８０である。
【００１１】
さらに，ＳＶＧＡモードは水平同期信号Ｈの周波数が３５〜３７ＫＨｚであり，垂直同期信号Ｖの周波数はインタレース(ｉｎｔｅｒｌａｃｅ)であり，解像度は８００×６００である。
【００１２】
したがって，マイクロコンピュータ４は上記動作モードに応じた解像度を認識した後，分離した水平同期信号Ｈ及び垂直同期信号Ｖを後述するＰＬＬ部５とグラフィック制御部６へ出力する。
【００１３】
ＰＬＬ(Ｐｈａｓｅ  Ｌｏｃｋｅｄ  Ｌｏｏｐ)部５は，マイクロコンピュータ４にて認識した解像度に応じて分周値を可変し，Ａ／Ｄ部３へ出力する。
【００１４】
グラフィック制御部６は，上記マイクロコンピュータ４が認識した解像度に応じてＰＬＬ部５から出力される水平同期信号Ｈを介してＡ／Ｄ部３から出力されるパルス信号の周波数を調節し，ＬＣＤパネル７に映像信号が表示できるようにする。
【００１５】
ここで，上記プリアンプ部２，Ａ／Ｄ部３及びＰＬＬ部５は別々に分離し構成することもあるが，一つのチップ(Ｃｈｉｐ)からなることもある。
【００１６】
このように構成された液晶ディスプレイ装置の利得及びオフセットを調整するためには，先ずプリアンプ部２からＡ／Ｄ部３に入力されるアナログのＲ,Ｇ及びＢの色信号を，Ａ／Ｄ部３の基準レベルに合わせなければならない。
【００１７】
このようにプリアンプ部２からＡ／Ｄ部３へ入力されるアナログのＲ,Ｇ及びＢの色信号をＡ／Ｄ部３の基準レベルに合せるためには，ボトムレベルとトップレベルを調整するようになるが，この時，ボトムレベルを設定することをオフセット調整といい，信号幅を調整しトップレベルを設定することを利得調整という。
【００１８】
このような利得及びオフセットを調整するために従来は，プリアンプ部２とＡ／Ｄ部３の出力線にジグ（Ｊｉｇ)という外部装置を連結し，作業者が目で入力波形を直接確認してから，利得とオフセットを調整していた。また，上記のような調整作業をプログラム化し作業者が直接確認せず，自動で入力波形の利得及びオフセットを調整することもあった。
【００１９】
この場合，Ａ／Ｄ部３のデジタル出力値を検出しボトムレベルを‘０×００’に，トップレベルを‘０×ＦＦ’に設定してオフセットと利得を調整するようになる。
【００２０】
しかし，上記のように従来の液晶ディスプレイ装置の利得及びオフセット調整方法は作業者が一々目で確認し手動調整するため，液晶ディスプレイ装置と外部装置との間に同一環境を構成しなければならない煩わしさがあった。
【００２１】
また，プログラム化し利得とオフセットを自動調整する方法又はＡ／Ｄ部へ入力される映像信号のあらゆる領域を参照するために図１のプリアンプ部２からＡ／Ｄ部３へ入力される映像信号の波形を示した図２のように，映像信号のエッジ部分にノイズが発生する現象(リンギング(ｒｉｎｇｉｎｇ))又はダンピング(ｄａｍｐｉｎｇ)現象）によって利得及びオフセット調整の際，ノイズに影響され好適の利得及びオフセット値が得られないという問題があった。
【００２２】
【発明が解決しようとする課題】
本発明は，従来の液晶ディスプレイ装置の利得及びオフセット調整方法が有する上記問題点に鑑みてなされたものであり，本発明の目的は，液晶ディスプレイ装置の生産過程にて，コンピュータシステムから液晶ディスプレイ装置へ入力される映像信号のダンピング領域データのダンピングレベルに応じて，Ｒ,Ｇ及びＢの色信号の利得とオフセットが簡便かつ正確に設定できる液晶ディスプレイ装置の利得及びオフセット調整方法を提供することである。
【００２８】
上記課題を解決するため，本発明による液晶ディスプレイ装置の利得及びオフセットの調整は，コンピュータシステムから入力される映像信号のダンピング領域データのダンピングレベルを抽出する第１過程と，第１過程で抽出されたダンピング領域データのダンピングレベルとマイクロコンピュータに既に保存されているダンピング領域データのダンピングレベルを比較し一致するデータがあるか否かを判断する第２過程と，第２過程の判断の結果，一致するデータがある場合，マイクロコンピュータに保存されている該当ダンピングレベルで設定された利得とオフセットデータを，現在調整中の液晶ディスプレイ装置の利得とオフセットとして設定する第３過程と，第２過程の判断の結果，一致するデータがない場合，最も近接なダンピングレベルで設定された利得とオフセットを現在調整中の液晶ディスプレイ装置の利得とオフセットとして設定する第４過程と，第３および４過程で設定された利得とオフセットによって利得とオフセットを調整する第５過程を有する液晶ディスプレイ装置の利得及びオフセット調整方法により行うこともできる。
【００２９】
このとき第２過程のマイクロコンピュータには，コンピュータシステムから液晶ディスプレイ装置へ入力される映像信号のダンピング領域データのダンピングレベルに対するデータと，該当ダンピングレベルデータの映像信号が入力される時，調整された利得とオフセットデータが保存されるようにしてもよい。
【００３０】
かかる構成によれば，Ｒ,Ｇ及びＢの色信号の利得とオフセットが簡便かつ正確に設定可能な液晶ディスプレイ装置の利得及びオフセット調整方法を提供することができる。
【００３１】
【発明の実施の形態】
以下，添付の図面を参照しつつ本発明の液晶ディスプレイ装置の利得及びオフセット調整方法を詳しく説明する。なお，本明細書及び図面において，実質的に同一の機能構成を有する構成要素については，同一の符号を付することにより重複説明を省略する。
【００３２】
図３は本発明にかかる利得及びオフセット調整方法が適用された液晶ディスプレイ装置の構成を示した概略ブロック図である。図１と同じ部分は同一符号を使用し，ここでそれに対する詳細な説明を省く。
【００３３】
図３に示されたように，マイクロコンピュータ１０はコンピュータシステム１からプリアンプ部２へ入力される映像信号，即ち，Ｒ,Ｇ及びＢの色信号の安定領域データを利用し利得とオフセットを調整するプログラムが内蔵されている。また，ＩＩＣ(Ｉｎｔｅｒ  Ｉｎｔｅｇｒａｔｅｄ  Ｃｉｒｃｕｉｔ)に連結されたプリアンプ部２から出力されるＲ,Ｇ及びＢの色信号の利得とオフセットを，内蔵されたプログラムにより調整し，調整されたＲ,Ｇ及びＢの色信号がＡ／Ｄ部３へ出力できるようにプリアンプ部２を制御する。
【００３４】
この時，コンピュータシステム１からプリアンプ部２へ入力されるＲ,Ｇ及びＢの色信号の安定領域は，図２に示されたように，プリアンプ部２へ入力されるＲ,Ｇ及びＢの色信号のエッジ部分で生じるノイズのない領域を意味する。
【００３５】
そして，安定領域はコンピュータシステム１から入力されるＲ,Ｇ及びＢの色信号のエッジ部分に発生するノイズ(ダンピング現象)のない領域のデータのうち，ダンピング現象が起こる領域の２〜３倍に設定することが最も望ましく，この安定領域はマイクロコンピュータ１０に内臓されている利得とオフセット調整プログラムにより指定される。
【００３６】
一方，上記のように利得は最大に，オフセットは最小に設定してから，安定領域のデータと比較し最適の利得とオフセットを設定する例とは異なり，ダンピング現象に対する実験データを参照し強制的に利得とオフセットを調整することもできる。
【００３７】
即ち，液晶ディスプレイ装置を生産するたびに調整される利得とオフセットデータ等を参照し，コンピュータシステム１から入力される映像信号のダンピング領域データのダンピングレベルに対するデータと，該当ダンピングレベルデータの映像信号が入力される際に，調整された利得とオフセットデータをマイクロコンピュータ１０に前もって内蔵する。
【００３８】
現在生産ラインにて利得とオフセットを調整すべき液晶ディスプレイ装置へ入力される，映像信号のダンピング領域データのダンピングレベルを抽出した後，マイクロコンピュータ１０に既に保存されていたデータと比較し，ダンピングレベルの比較結果によって，該当ダンピングレベルにて調整された利得とオフセットデータに強制的に利得とオフセットを調整するようにした。
【００３９】
このように構成された本発明にかかる液晶ディスプレイ装置の利得及びオフセット調整方法を，図４と図５を参照しながら説明する。
【００４０】
(参考実施形態)
図４は，本発明の参考としての実施形態にかかる液晶ディスプレイ装置の利得及びオフセット調整方法の流れを示したフローチャートである。コンピュータシステム１から入力される映像信号，即ち，Ｒ,Ｇ及びＢの色信号の利得とオフセットを調整するために利得は最大に，オフセットは最小に初期化する(ステップＳ１０)。即ち，利得は‘０×００’に，オフセットは‘０×ＦＦ’に初期化するのである。
【００４１】
上記のように，利得とオフセットを初期化した後にはオフセット調整を遂行するために入力されるＲ,Ｇ及びＢの色信号のうち，ブラック領域(Ｂｌａｃｋ  Ａｒｅａ)の安定領域データを読み込むためのベースアドレスレジスタを設定する(ステップＳ２１)。
【００４２】
そして，ステップＳ２１で設定されたベースアドレスレジスタを介して読み出された映像信号のデータがステップＳ１０にて初期化された最小データより大きいか否かを判断する(ステップＳ２２)。
【００４３】
この時，安定領域はコンピュータ１から入力されるＲ,Ｇ及びＢの色信号のエッジ部分に発生されるノイズのない領域のデータであり，ベースアドレスレジスタを介して読み出された映像信号のデータは画素単位である。
【００４４】
ステップＳ２２の判断の結果，ベースアドレスレジスタを介して読み出されたデータが最小データより大きい場合には最適のオフセットが得られるまでオフセットを徐々に減少させる(ステップＳ２３)。
【００４５】
しかし，判断の結果，ベースアドレスレジスタを介して読み出されたデータが最小データと同一であるか，または小さい場合には，現在読み出したデータを，調整中の液晶ディスプレイ装置のオフセットとして設定しオフセット調整を完了する(ステップＳ２４)。
【００４６】
オフセット調整が完了すると，利得調整を遂行するために入力されるＲ,Ｇ及びＢの色信号のうち，ホワイト領域(Ｗｈｉｔｅ  ａｒｅａ)の安定領域データを読み出すためのベースアドレスレジスタを設定する(ステップＳ３１)。
【００４７】
ステップＳ３１で設定されたベースアドレスレジスタを介して読み出された映像信号のデータがステップＳ１０で初期化された最大データより小さいか否かを判断する(ステップＳ３２)。
【００４８】
ステップＳ３２の判断の結果，ベースアドレスレジスタを介して読み出されたデータが最大データと同一であるか，又は大きい場合には，現在読み出したデータを，調整中の液晶ディスプレイ装置の利得として設定して利得調整を完了する(ステップＳ３４)。
【００４９】
以上のように，ブラック領域の安定領域データを一定値以下になるようにオフセットを，ホワイト領域の安定領域データを一定値以上になるように利得を設定することで，液晶ディスプレイ装置の利得及びオフセット調整を行うことができる。
【００５０】
(本発明の実施形態)
一方，ダンピング現象に対する実験データを参照し強制的に利得とオフセットを調整する方法を，図５を参照ながら説明する。図５は，本実施形態にかかる液晶ディスプレイ装置の利得及びオフセット調整方法の流れを示したフローチャートである。コンピュータシステム１から入力される映像信号，即ち，Ｒ,Ｇ及びＢの色信号の，ダンピング領域データのダンピングレベルを抽出する(ステップＳ１００)。
【００５１】
ステップＳ１００にて抽出されたダンピング領域データのダンピングレベルと，マイクロコンピュータ１０に既に保存されているダンピング領域データのダンピングレベルを比較し一致するデータがあるか否かを判断する(ステップＳ１１０)。
【００５２】
この時，マイクロコンピュータ１０にはコンピュータシステム１から液晶ディスプレイ装置へ入力される映像信号のダンピング領域データのダンピングレベルに対するデータ等と，該当ダンピングレベルデータの映像信号が入力される時，調整された利得とオフセットデータが保存されている。
【００５３】
ステップＳ１１０の判断の結果，ステップＳ１００から抽出されたダンピング領域データのダンピングレベルと一致するデータがある場合，マイクロコンピュータ１０に保存されている該当ダンピングレベルで設定された利得とオフセットを，調整中の液晶ディスプレイ装置の利得とオフセットとして設定する(ステップＳ１２０)。
【００５４】
しかし，ステップＳ１１０の判断の結果，ステップＳ１００から抽出されたダンピング領域データのダンピングレベルと一致するデータがない場合，最も近接なダンピングレベルで設定された利得とオフセットデータを現在調整中の液晶ディスプレイ装置の利得とオフセットとして設定する(ステップＳ１３０)。
【００５５】
そして，ステップＳ１２０およびＳ１３０にて設定された利得とオフセットによって利得とオフセットを強制的に調整することで利得とオフセット調整を終了する(ステップＳ１４０)。
【００５６】
以上のように，入力された映像信号のダンピング領域データのダンピングレベルを検出し，既存のデータと比較することで，液晶ディスプレイ装置の利得及びオフセット調整を行うことができる。
【００５７】
以上，添付図面を参照しながら本発明にかかる液晶ディスプレイ装置の利得及びオフセット調整方法の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５８】
【発明の効果】
以上詳細に説明したとおり，本発明によれば，コンピュータシステムから液晶ディスプレイ装置へ入力される映像信号の領域を表すベースアドレスレジスタを安定領域に設定し，その領域のデータだけを利得及びオフセット調整に活用するために，映像信号のエッジ部分に発生するノイズの影響を最小化した状態で好適の利得とオフセット値が設定でき，これによってＲＧＢ間の偏差を減少させる効果を奏する。
【００５９】
また，入力された映像信号のダンピング領域データのダンピングレベルを用いることで，簡便に液晶ディスプレイ装置の利得及びオフセット調整を行うことができる。
【図面の簡単な説明】
【図１】  従来技術における液晶ディスプレイ装置の構成を示した概略ブロック図である。
【図２】  図１のコンピュータシステム１からの入力映像信号波形を示した図面である。
【図３】  本発明にかかる利得及びオフセット調整方法が適用された液晶ディスプレイ装置の構成を示した概略ブロック図である。
【図４】  参考実施形態にかかる液晶ディスプレイ装置の利得及びオフセット調整方法を詳しく示したフローチャートである。
【図５】  本発明の実施形態にかかる液晶ディスプレイ装置の利得及びオフセット調整方法を詳しく示したフローチャートである。
【図１】
0003818569.tif 000002
【図２】
0003818569.tif 000003
【図３】
0003818569.tif 000004
【図４】
0003818569.tif 000005
【図５】
0003818569.tif 000006